(57)【要約】【課題】クッション部材の表面の内部領域に固定手段が位置しないクッション部材の背板部への固定構造を提供する。【解決手段】クッション部材（３）は、周壁部（４）と、複数の係合突起部（５）とを備え、後方が周壁部で囲まれた開口状態に構成される。背板部（２）は、クッション部材の後部開口縁形状に合わせた受け入れ部（６）を備える。この受け入れ部は、クッション部材の周壁部の端面部に当接する保持底部（７）と、外面側から接触する保持内壁部（８）と、内面側から部分的に接触する保持リブ（９）とを備える。保持内壁部には、係合突起部に対応する位置に係合突起部を受け入れて係止させる係止穴部（１０）が設けられている。クッション部材は、後部開口縁部を略溝形状の受け入れ部（６）に嵌め込むと共に、係合突起部を係止穴部に係合させることにより背板部に固定される。【選択図】　　　　　図３
2004097346.tif 000002
【特許請求の範囲】
【請求項１】
表面側にクッション部材が固定される背板部であって、
クッション部材は、使用者の背中が当たる表面部の周縁部から後方に延びた周壁部と、前記周壁部の後方縁部から外方に部分的に突出するように設けられた複数の係合突起部と、を備え、
前記当接表面部の後方が前記周壁部で囲まれた開口状態に構成されており、
前記背板部は、前記クッション部材の後部開口縁形状に合わせたクッション部材の受け入れ部を備えており、
前記受け入れ部は、前記クッション部材の周壁部の端面部に後部から当接する保持底部と、前記周壁部の開口端部に外面側から接触する保持内壁部と、前記周壁部の開口端部に内面側から部分的に接触する保持リブと、を備え、
前記保持内壁部には、前記クッション部材の係合突起部に対応する位置に、前記係合突起部を受け入れて係止させる係止穴部が設けられており、
前記クッション部材は、前記後部開口縁部を、前記背板部の前記保持底部と保持内壁部と保持リブとで構成される略溝形状の受け入れ部に嵌め込むと共に、前記係合突起部を前記係止穴部に係合させることにより、前記背板部に固定されるものである、
ことを特徴とする背板部のクッション部材固定構造。
【請求項２】
前記クッション部材が、背板部に比較して柔らかい材質の樹脂で構成されている
ことを特徴とする請求項１記載の背板部のクッション部材固定構造。
【請求項３】
前記受け入れ部は、前記保持リブと前記係止穴部とが、周方向に交互に設けられている
ことを特徴とする請求項１又は２記載の背板部のクッション部材固定構造。
【発明の詳細な説明】
【０００１】
【発明の属する技術分野】
本発明は、椅子などの背板部の表面側にクッション部材を固定する際の固定構造に関するものである。
【０００２】
【従来の技術】
従来から、クッション部材を表面に設けた背板部を備えた椅子や、椅子状のポータブルトイレなどが知られている。例えば、意匠文献１には、簡易便器（ポータブルトイレ）の背板部の構造が記載されている。この文献１に記載の背板部は、使用者の背中が当接する表面側にクッション部材を設けているが、このクッション部材は、周縁部から中心側にある程度入った位置に設けられた固定手段で背板部に固定されている。この固定手段は、ピンとビスを利用するものであり、クッション側に後方の突出した係止ピンを設け、背板側にこれを受ける係止ビスを設けており、これらを係合させることでクッション部材を固定している。
【０００３】
【意匠文献１】
意匠登録第１０５８５６７号公報
【０００４】
【発明が解決しようとする課題】
上記従来の技術のようなクッション部材の固定構造では、クッション部材の表面上の部分的な位置（周縁部からある程度内部に入った位置）に固定手段が存在するので、固定部が配置された位置のクッション性が低下する。言い換えれば、従来のような固定部の存在は、クッション部を部分的に固くしてしまうので、その部分に背中が当たると、固くて使用者には痛く感じる。
【０００５】
本発明は、斯かる実情に鑑み、クッション部材の表面の内部領域に固定手段が位置しないクッション部材の背板部への固定構造を提供する。本発明の別の目的は、クッション部材が表面全域に亘って同じクッション性を維持できるクッション部材を備えた背板部を提供することにある。
【０００６】
【課題を解決するための手段】
上記目的を達成するために、請求項１に記載の発明では、表面側にクッション部材が固定される背板部であって、クッション部材は、使用者の背中が当たる表面部の周縁部から後方に延びた周壁部と、前記周壁部の後方縁部から外方に部分的に突出するように設けられた複数の係合突起部と、を備え、前記当接表面部（前記使用者の背中が当たる表面部）の後方が前記周壁部で囲まれた開口状態に構成されており、前記背板部は、前記クッション部材の後部開口縁形状に合わせたクッション部材の受け入れ部を備えており、前記受け入れ部は、前記クッション部材の周壁部の端面部に後部から当接する保持底部と、前記周壁部の開口端部に外面側から接触する保持内壁部と、前記周壁部の開口端部に内面側から部分的に接触する保持リブと、を備え、前記保持内壁部には、前記クッション部材の係合突起部に対応する位置に、前記係合突起部を受け入れて係止させる係止穴部が設けられており、前記クッション部材は、前記後部開口縁部を、前記背板部の前記保持底部と保持内壁部と保持リブとで構成される略溝形状の受け入れ部に嵌め込むと共に、前記係合突起部を前記係止穴部に係合させることにより、前記背板部に固定されるものである、ことを特徴とする背板部のクッション部材固定構造を提供する。
【０００７】
本発明は上記のように構成されているので、クッション部材は、その周縁部から後方に延びた周壁部の後方端部が、背板部の受け入れ部に係合する固定手段となっている。このため、クッション部材の表面の内側領域には固定手段が位置しないので、従来のように部分的にクッション性が低下することはなく（又は、部分的に固くなることはなく）、クッション部材の表面の全面に亘って良好なクッション性が維持される。
【０００８】
言い換えれば、表面部の内側領域（内部にも）には、クッション部材とは別個の固定部等（補強構造等も含む）が存在しないので、クッション部材はその全面に亘って同じクッションの感覚で背中に当接するので、従来のように部分的な突き上げ感が無く、背中への感触は極めて良好になる。
【０００９】
クッション部材は、使用者の背中が当たる表面部に対して、その表面部の周縁部から後方に延びた周壁部を備えており、後方が開放された開口状態となっている。更に好ましくは、この開口部の内部には、固定手段や固定部材若しくは補強リブなどの補強構造も備えていない。クッション部材は、表面部とその周縁部から後方へ突出した状態の周壁部だけで構成され、周壁部の縁はその端部が後方に向いた状態のまま、後方が開口した略箱構造（若しくは椀構造）のものとなっている。そして、前記周壁部の後方縁部から外方に突出する係合突起部が、全周の間の複数の位置（部分）に設けられている。
【００１０】
さらに、背板部は、前記クッション部材の周壁部の後方端面部（縁部）の形状に合わせて、その周壁部の端部を受け入れるように構成された受け入れ部を備えており、この受け入れ部は、前記周壁部の縁部を略溝構造で受け入れるものである。例えば、この周壁部の端部が湾曲しているような状態である場合には、受け入れ部もそれに対応した湾曲形状に構成されている。
【００１１】
この受け入れ部の略溝構造部は、前記クッション部材の周壁部の端部、言い換えれば開口端周縁部（周壁部の後縁部）に後部から当接する保持底部と、前記周壁部の開口端部に外面側から接触する保持内壁部と、前記周壁部の開口端部に内面側から部分的に接触する保持リブと、から構成されるものである。即ち、クッション部材の周壁部の端部を受け入れる溝部の底が、前記保持底部で構成され、その溝部の外壁部が前記保持内壁部で構成され、その溝部の内壁部は、部分的に設けられた保持リブで構成されている。
【００１２】
そして、この略溝部に周壁部の後端縁部を嵌め込むことで、クッション部材が背板部（受け入れ部）に嵌り込む。さらに、この受け入れ部には、前記の係合突起部を受け入れる係止穴部が、前記保持内壁部に設けられており、これらが相互に係合することで、クッション部材が背板部の受け入れ部内に固定される。
【００１３】
なお、保持リブと、係止穴部とは周方向の異なる位置に設けられており、係合突起部が設けられている周壁部には、内側に当接する部分が存在しないので、周壁部の係合突起部近傍の弾力性を生かして、係合突起部が係止穴部に弾性変形を利用して嵌り込む構造となっている。
【００１４】
本願請求項２記載の発明では、前記クッション部材が、背板部に比較して柔らかい材質の樹脂で構成されていることを特徴とする請求項１記載の背板部のクッション部材固定構造を提供する。
【００１５】
一般に、背板部を構成する樹脂部材は、一般的には比較的強度の高い材質が選択されるので、例えば、ＡＢＳ樹脂（アクリルブタジエンスチレンアロイ）製材料からなる一体成形品である場合が多い。これに対して、クッション部材は、ＡＢＳ樹脂に比較して柔らかく、手で掴むと撓む程度の柔軟性（柔らかさ）を持つ材質、例えば、ＬＬＤＰＥ樹脂（直鎖状低密度ポリエチレン）等を使用すると良い。
【００１６】
このような柔らかな樹脂でクッション部材を構成することで、使用者の背中への感触が柔らかくて好印象となり、かつ、部分的な突き上げなどもないので、全面に亘って柔らかいクッションが形成される。
【００１７】
次に、請求項３記載発明では、請求項１又は２記載の背板部のクッション部材固定構造において、前記受け入れ部は、前記保持リブと前記係止穴部とが、周方向に交互に設けられていることを特徴とするものである。
【００１８】
従って、前記受け入れ部には、隣り合う保持リブの間の位置に係止穴部が設けられるので、ここに挿入されたクッション部材の周壁部には、係合突起部が設けられている部分の両サイドの位置に内側から保持リブが押圧することになる。このため、係合突起部には、両サイドの保持リブからの保持力（又は押圧力、挟持力）で補完され、係止穴部への係合状態（固定状態）が向上することとなる。
【００１９】
なお、必ずしも、周方向の全ての位置において、保持リブと係止穴部とが交互に設けられている必要はない。クッション部材と背板部の材質や、相互の形状などの構成を加味して、クッション部材の固定状態が良好に維持できる程度の箇所に、交互に設けることが好ましい。
【００２０】
例えば、別の態様としては、請求項１又は２記載の背板部のクッション部材固定構造において、前記受け入れ部は、前記係止穴部を挟んで両側に前記保持リブが配置される構成を一組とし、この組が周方向に複数設けられた構成とする。即ち、保持リブ、係止穴部、保持リブの順に配置された構成を一組とし、この組を周方向に複数設けるようにする。この場合であっても、クッション部材の周壁部には、係合突起部が設けられている部分の両サイドの位置に内側から保持リブが押圧することとなり、係合突起部には、両サイドの保持リブからの保持力（又は押圧力、挟持力）で補完され、係止穴部への係合状態（固定状態）が向上することとなる。
【００２１】
【発明の実施の形態】
以下、本発明に係る背板部のクッション部材固定構造を、椅子状のポータブルトイレの背板部に適用した実施の形態を図示例と共に説明する。尚、図中、図と同一の符号を付した部分は同一物又は相当物を表わしている。
【００２２】
図１は、本発明の一実施形態に係る背板部のクッション部材固定構造を備えたポータブルトイレの全体構成を示しており、便器本体部２１と、便器本体部２１に設けられた便槽２２の上部に配置されるＯ型の便座２３と、その便座２３の上部から便槽２２の開口部２４を覆うように設けられた折り畳み可能な便器蓋２５と、前記便器本体部２１の上面後方部から上方に延びる背もたれ部１と、背もたれ部１の前部の位置で、便器本体部２１の上面左右両側に着脱可能に取り付けられた二つの肘掛け２８ａ，２８ｂとで主に構成されている。
【００２３】
次に、背もたれ部１の詳細構造について図２及び図３と共に説明する。本実施形態における背もたれ部１は、左右の柱部１１ａ，ｂと、この柱部１１ａ，ｂに水平方向（図２における左右方向）に掛け渡された背板部２と、背板部２の表面側に固定されるクッション（クッション部材）３とで主に構成されている。
【００２４】
クッション３は、使用者の背中が当たる表面部の周縁部から後方（図３における右方向、背板部２の側）に延びる周壁部４が形成されている。この周壁部４は、クッション３の周縁部全周に亘って連続した壁部となっており、この壁部（周壁部４）で囲まれた開口状態となっている。即ち、クッション３は、後方（背板部２に取り付けられる側）が開口した略箱状形状となっている。
【００２５】
クッション３の周壁部４には、その外側側面の周方向の複数の位置に、後方縁部から外方に部分的に突出するような係合突起部５ａ〜ｉが設けられている。この係合突起部５ａ〜ｉは、図３に示すように先端部が矢尻状に折り返された部分が形成されており、この矢尻状先端部の折り返し部が、係止穴部１０ａ〜ｉ（後述）の前部縁とそれぞれ係合することができるようになっている。なお、この係合突起部５ａ〜ｉは、図２に示すように、クッション３の周壁部４にほぼ均等な間隔をあけて配置されている。
【００２６】
背板部２は、クッション３の周壁部４の端面部と当接する保持底部７と、周壁部４の開口端部に外面側から接触する保持内壁部８と、周壁部４の開口端部に内面側から部分的に接触する複数の保持リブ９ａ〜ｉとを備えて構成されている。なお、背板部２に設けられる保持リブ９ａ〜ｉの位置は、図２に示すように、係止穴部１０ａ〜ｉの位置とは異なる位置であって、係止穴部１０ａ〜ｉ（後述）と保持リブ９ａ〜ｉとが交互にほぼ均等な間隔をあけて配置されている。
【００２７】
そして、この保持底部７と、保持内壁部８と、保持リブ９とで構成される略溝形状の部分が受け入れ部６である。この受け入れ部６は、クッション３の周壁部４の後方縁部形状に合わせて形成されており、受け入れ部６にクッション３の周壁部４を嵌め込むことができるようになっている。
【００２８】
なお、このクッション３は、使用者の背中への当接状態を考慮して、図３に示すように、背中が当接する表面が背中の丸みに合うように内方へやや窪んだ形状に構成されており、また、図２に示すように、周壁部４の後部縁形状は全体が平面視で略弓形形状（略弓形に湾曲した楕円形状）に構成され、それに合わせて、背板部の受け入れ部６も平面視で略弓形形状に構成されている。
【００２９】
さらに、保持内壁部８には、クッション３の係合突起部５ａ〜ｉに対応する位置に、この係合突起部５ａ〜ｉを受け入れて係止させる係止穴部１０ａ〜ｉが設けられている。なお、この係止穴部１０ａ〜ｉの形状は、係合突起部５ａ〜ｉの矢尻状先端部が嵌め込まれるのに好適なものとなっている。
【００３０】
また、本実施形態のクッション３は、ＬＬＤＰＥ樹脂（直鎖状低密度ポリエチレン）材料からなっており、背板部２は、ＡＢＳ樹脂（アクリルブタジエンスチレンアロイ）製材料からなる一体成形品である。即ち、クッション３の材料は背板部２の材料より柔らかい材料からなっている。
【００３１】
クッション３を背板部２へ取り付けて固定する際には、クッション３の周壁部４の縁部を保持底部７に当接するように保持内壁部８と保持リブ９との間（即ち、受け入れ部６）に嵌め込む。その際に、係合突起部５ａ〜ｉ（とその周辺の周壁部）は、係止穴部１０ａ〜ｉに係合する前に、若干内側に撓んだ状態となり、さらに奥に挿入すると、係合突起部５ａ〜ｉ内に嵌り込んで、元の状態に弾性力で戻って、この状態で係合される。
【００３２】
ここで、この実施態様では、保持リブ９が、係止穴部１０と交互に設けられているので、係合突起部５の一つを見ると、両サイドに保持リブ９が存在して、内側から外側へ接触している。言い換えれば、クッション３を受け入れ部６に挿入する際には、二つの保持リブがその間にある係合突起部５を外側に押圧する状態となるので、結果として、保持リブ９が係合突起部５を外側に押圧した状態となって、その外側に存在する係止穴部に押し込まれた状態となる。従って、係止状態がより強固なものとなって安定することとなる。
【００３３】
こうして固定されたクッション３を備えたポータブルトイレの便座２３に使用者が座って、背中を背もたれ部１にもたれ掛けたときには、クッション３の内側の領域に従来のような固定手段によるクッションの固定部分が存在しないから、部分的にクッションが固くなることがない。よって、背中をもたれ掛けたときに、全面に亘って良好なクッション性が保たれるので、快適で心地良いものとなり、ポータブルトイレに座って大小便をするのも楽となる。さらには、クッションが背板部より柔らかい材料からなっているので、背中をもたれ掛けたときの心地良さがより一層向上する。
【００３４】
尚、本発明のクッション部材固定構造は、上述の実施形態にのみ限定されるものではなく、本発明の要旨を逸脱しない範囲内において種々変更を加え得ることは勿論である。
【００３５】
【発明の効果】
以上、説明したように、本発明に係る背板部のクッション部材固定構造によれば、クッション部材の内部領域に固定手段が位置しないため、クッション部材が表面全域に亘って同じクッション性を維持でき、心地よく背中をもたれ掛けることができるという優れた効果を奏し得る。また、本発明に係るクッション部材固定構造にて固定されたクッション部材を備えた背板部をポータブルトイレに応用すると、座り心地の良い好適なものとなる。
【図面の簡単な説明】
【図１】本発明の一実施形態に係る背板部のクッション部材固定構造を備えたポータブルトイレの全体構成を示す概略構成図である。
【図２】本発明の一実施形態に係る背板部のクッション部材固定構造の詳細を説明するための背板部の部分拡大図である。
【図３】図２のＡ−Ａ’の概略断面を示した図である。
【符号の説明】
１：背もたれ部
２：背板部
３：クッション
４：周壁部
５ａ〜ｉ：係合突起部
６：受け入れ部
７：保持底部
８：保持内壁部
９ａ〜ｉ：保持リブ
１０ａ〜ｉ：係止穴部
１１ａ，ｂ：柱部
【図１】
2004097346.tif 000003
【図２】
2004097346.tif 000004
【図３】
2004097346.tif 000005